(57)【要約】【課題】新たなケースを要することなく、回路基板での設計自由度が向上する放電ランプ用点灯装置およびこの放電ランプ用点灯装置を備える照明器具を提供する。【解決手段】放電ランプ用点灯装置１は、底板部６、底板部６の両側に設けられた一対の立上部７，７、立上部７，７に所定の間隔を有して設けられた複数の係止爪８ａ，８ｂおよび係止爪８ａ，８ｂよりも非底板部側に位置する複数の係止孔９ａ，９ｂを有し、底板部６の底面６ａから同一距離のそれぞれの係止爪８ａ，８ｂが折り曲げられて回路基板２の一方の面２ａを支持するケース底板３と、一対の側板部１１，１１の係止片１３，１４，１５が回路基板２の他方の面２ｂに近接するように折り曲げられて係止孔９ａ，９ｂに係止されるケース蓋体４を具備している。【選択図】図２
2008300042.tif 000002
【特許請求の範囲】
【請求項１】
点灯回路部品が実装された回路基板と；
長方形状の底板部、この底板部の長手方向に沿う両側に互いの平面が対向するように設けられた一対の立上部、この一対の立上部にそれぞれ当該長手方向に沿うようにして当該長手方向と直交する方向に所定の間隔を有して設けられた複数の係止爪およびこの係止爪よりも非底板部側に位置するように係止爪の前記間隔に対応して係止爪毎に設けられた複数の係止孔を有し、底板部の底面から同一距離のそれぞれの係止爪が一対の立上部の内側に折り曲げられ当該係止爪で回路基板の一方の面を支持するケース底板と；
ケース底板の一対の立上部に被さるようにして一対の側板部およびこの側板部に跨る天板部が形成され、一対の側板部にそれぞれ当該長手方向に沿うようにかつ前記係止孔に対応する部位に設けられた係止片を有し、この係止片が回路基板の他方の面に近接するように前記係止孔側へ折り曲げられて前記係止孔に係止されるケース蓋体と；
を具備していることを特徴とする放電ランプ用点灯装置。
【請求項２】
ケース蓋体の係止片は、側板部の長手方向と直交する方向に複数設けられていることを特徴とする請求項１記載の放電ランプ用点灯装置。
【請求項３】
ケース底板の底板部には、その長手方向の両端部側に、それぞれ回路基板の長手方向の移動を規制する切り起し片が設けられていることを特徴とする請求項１または２記載の放電ランプ用点灯装置。
【請求項４】
請求項１ないし３いずれか一記載の放電ランプ用点灯装置と；
この放電ランプ用点灯装置により点灯される放電ランプと；
放電ランプを配設している器具本体と；
を具備していることを特徴とする照明器具。
【発明の詳細な説明】
【技術分野】
【０００１】
本発明は、放電ランプを点灯する放電ランプ用点灯装置および照明器具に関する。
【背景技術】
【０００２】
蛍光ランプを高周波点灯する放電ランプ用点灯装置には、点灯回路部品が回路基板に実装され、その回路基板が底板およびカバーからなるケースに収納されているものがある。そして、回路基板は、底板の支持部材に固定され、底板およびカバーは、係止爪を係止孔に係止して結合されているものがある。例えば、締結部材（ねじ）により回路基板を両端板とともに底板の支持部に固定し、端板の係止爪部にカバーの係合孔を係合させる収納ケースが提案されている(特許文献１参照。)。
【０００３】
また、回路基板が一対の端部材に支持されてベースケースに収納され、カバーケースの各係止爪がベースケースの各係止孔に引っ掛けられてカバーケースとベースケースが結合する放電灯点灯装置が提案されている(特許文献２参照。)。
【特許文献１】特開平７−４５９６４号公報（第３頁、第１図）
【特許文献２】特開２００５−２５９８９３号公報（第５頁、第２図）
【発明の開示】
【発明が解決しようとする課題】
【０００４】
特許文献１の収納ケースおよび特許文献２の放電灯点灯装置は、ケースの底板に固定された回路基板、ケースの底板およびカバーの相対位置が固定されているので、回路基板での回路部品の配置や使用部品の変更により高さ寸法が大きくなったときに対応できず、ケースとしての汎用性が低い。このため、実装された回路部品の占有空間に応じたケースの底板およびカバーを都度設計、製造する必要があるという問題がある。例えば、底板の底面と回路基板の隙間が小さいことにより、回路基板の下面にチップ部品を実装することができないために設計に手間を要することや、背の高いディスクリート部品を実装するために高さを大きくしたカバーを必要とすることがある。
【０００５】
本発明は、新たなケースを要することなく、回路基板での設計自由度が向上する放電ランプ用点灯装置およびこの放電ランプ用点灯装置を備える照明器具を提供することを目的とする。
【課題を解決するための手段】
【０００６】
請求項１に記載の放電ランプ用点灯装置の発明は、点灯回路部品が実装された回路基板と；長方形状の底板部、この底板部の長手方向に沿う両側に互いの平面が対向するように設けられた一対の立上部、この一対の立上部にそれぞれ当該長手方向に沿うようにして当該長手方向と直交する方向に所定の間隔を有して設けられた複数の係止爪およびこの係止爪よりも非底板部側に位置するように係止爪の前記間隔に対応して係止爪毎に設けられた複数の係止孔を有し、底板部の底面から同一距離のそれぞれの係止爪が一対の立上部の内側に折り曲げられ当該係止爪で回路基板の一方の面を支持するケース底板と；ケース底板の一対の立上部に被さるようにして一対の側板部およびこの側板部に跨る天板部が形成され、一対の側板部にそれぞれ当該長手方向に沿うようにかつ前記係止孔に対応する部位に設けられた係止片を有し、この係止片が回路基板の他方の面に近接するように前記係止孔側へ折り曲げられて前記係止孔に係止されるケース蓋体と；を具備していることを特徴とする。
【０００７】
本発明および以下の各発明において、特に言及しない限り、各構成は以下による。
【０００８】
係止爪は、回路基板の一方の面を支持する点からして、立上部の少なくとも長手方向の両端部側にそれぞれ複数設けられるのが好ましい。また、係止爪は、底板部の底面からの距離が順次大きくなるように設けられ、３個以上のときは、互いに隣接する係止爪間の所定の間隔が同一であってもよく、異なっていてもよい。また、係止爪は、立上部の長手方向と直交する方向の同一直線上に並設されるのが好適であるが、当該長手方向に対して斜めに設けられてもよい。
【０００９】
係止孔は、ケース蓋体の係止片が折り曲げにより挿入され、係止片を引っ掛けるものであれば、その大きさや形状などは特に問わない。また、「係止爪の所定の間隔に対応して係止爪毎に設けられる」とは、係止孔および係止爪は、係止孔の下端縁が係止爪の上縁よりも回路基板の板厚分だけ底板部の底面から離れた位置となるようにそれぞれ設けられることを意味する。
【００１０】
係止片が回路基板の他方の面に近接する隙間は、少なくとも係止片が係止される係止孔の下端縁と係止片の下縁との間に形成される。
【００１１】
本発明によれば、ケース底板の複数の係止爪のうち、底板部の底面から同一距離の係止爪を一対の立上部の内側に折り曲げて回路基板を載置し、一対の立上部にケース蓋体を被せた後、折り曲げた係止爪に対応する係止孔側へケース蓋体の係止片を折り曲げることにより、回路基板が係止爪および係止片に挟み込まれるようにしてケース底板に収容され、ケース底板およびケース蓋体が結合される。そして、回路基板の一方の面側の高さ寸法に応じて、または点灯回路部品と底板部の底面との干渉や絶縁距離などに応じて、底板部の底面から同一距離の係止爪が選択されて折り曲げられる。
【００１２】
請求項２に記載の放電ランプ用点灯装置の発明は、請求項１記載の放電ランプ用点灯装置において、ケース蓋体の係止片は、側板部の長手方向と直交する方向に複数設けられていることを特徴とする。
【００１３】
隣接する係止片の間隔は、係止爪および係止孔のそれぞれの間隔とは関係なく、任意に設定される。
【００１４】
本発明によれば、回路基板の他方の面に実装された点灯回路部品の背の高さに応じて、折り曲げられる係止片が選択される。選択された係止片は、何れも折り曲げた係止爪に対応するケース蓋体の係止孔側へ折り曲げられ、回路基板の他方の面に近接して、係止孔に係止される。これにより、ケース蓋体の天板部と点灯回路部品が干渉なく離間して、ケース底板とケース蓋体が結合される。
【００１５】
請求項３に記載の放電ランプ用点灯装置の発明は、請求項１または２記載の放電ランプ用点灯装置において、ケース底板の底板部には、その長手方向の両端部側に、それぞれ回路基板の長手方向の移動を規制する切り起し片が設けられていることを特徴とする。
【００１６】
切り起し片は、底板部の底面から最も大きい距離を有する係止片が係止孔側へ折り曲げられたものであっても、回路基板の移動を規制する高さに形成されている。
【００１７】
本発明によれば、回路基板は、その長手方向に移動すると切り起し片に当接し、長手方向の移動が規制されて、ケース底板に収納された状態を保持する。
【００１８】
請求項４に記載の照明器具の発明は、請求項１ないし３いずれか一記載の放電ランプ用点灯装置と；この放電ランプ用点灯装置により点灯される放電ランプと；放電ランプを配設している器具本体と；を具備していることを特徴とする。
【００１９】
本発明によれば、請求項１ないし３いずれか一記載の放電ランプ用点灯装置を具備する照明器具が提供される。
【発明の効果】
【００２０】
請求項１の発明によれば、折り曲げる係止爪の選択により、ケース底板に対する回路基板の高さ調整が行えるので、回路基板の一方の面に実装するチップ部品の選定などの設計自由度が向上して、点灯回路の設計を容易に行うことができるとともに、新たなケース底板を用いる必要がなく、コスト低減を図ることができる。
【００２１】
請求項２の発明によれば、折り曲げる係止片の選択により、回路基板に対するケース蓋体の高さ調整が行えるので、回路基板の他方の面に実装する背の高いディスクリート部品の選定や配置などの設計自由度が向上して、点灯回路の設計を容易に行うことができるとともに、新たなケース蓋体を用いる必要がなく、コスト低減を図ることができる。
【００２２】
請求項３の発明によれば、回路基板の上下方向の移動がケース底板の係止爪およびケース蓋体の係止片で規制されるのに対し、回路基板の長手方向の移動を切り起し片で規制するので、回路基板を簡素かつ安価な構成でケース底板に収納することができる。
【００２３】
請求項４の発明によれば、請求項１ないし３いずれか一記載の放電ランプ用点灯装置を具備する照明器具を提供することができる。
【発明を実施するための最良の形態】
【００２４】
以下、本発明の一実施の形態について、図面を参照して説明する。まず、本発明の第１の実施形態について説明する。
【００２５】
図１は、本発明の第１の実施形態の放電ランプ用点灯装置を示し、（ａ）は概略縦断面図、（ｂ）は（ａ）のＡ−Ａ方向の概略断面図、図２は、同じく放電ランプ用点灯装置の分解概略側面図である。
【００２６】
図２において、放電ランプ用点灯装置１は、回路基板２、ケース底板３およびケース蓋体４を有して構成されている。
【００２７】
回路基板２は、長方形状の例えばガラスエポキシ材や紙フェノール材などからなり、放電ランプを点灯させる高周波点灯回路の点灯回路部品５を実装している。すなわち、一方の面（下面）２ａにチップ部品であるトランジスタＴｒ１，Ｔｒ２を実装し、他方の面(上面)２ｂにディスクリート部品であるコンデンサＣ１、背の低いコンデンサＣ２、抵抗Ｒ１〜Ｒ３、ダイオードＤ１、トランスＴ１、ＩＣ素子ＩＣ１や図示しないインダクタなどを実装している。高周波点灯回路は、放電ランプを高周波点灯させる周知の回路で形成されている。回路基板２の板厚は、例えば２．０ｍｍである。
【００２８】
ケース底板３は、金属製例えばアルミニウム（Ａｌ）からなり、図１（ａ）に示すように、１枚の平板を折り曲げて底板部６および一対の立上部７，７に形成した矩形状の長尺枠体である。すなわち、底板部６は、長方形状に形成され、一対の立上部７，７は、底板部６に対して直角に折り曲げられ、底板部６の長手方向に沿う両側に互いの平面が対向するように設けられている。
【００２９】
そして、一対の立上部７，７には、図２に示すように、それぞれの両端部側３ａ、３ｂに複数の係止爪８ａ，８ｂおよび複数の係止孔９ａ，９ｂが設けられている。係止爪８ａ，８ｂは、打ち抜きにより形成され、立上部７の長手方向に沿うようにしてかつそれぞれの先端側が立上部７の一端側および他端側を向くようにして形成されている。また、立上部７の長手方向と直交する方向の同一直線上に所定の間隔、例えば２〜５ｍｍを有して形成されている。
【００３０】
係止爪８ａ，８ｂは、底板部６の底面６ａから同一距離を有するものが折り曲げられ、折り曲げられた係止爪８ａ，８ｂで回路基板２の一方の面(下面)２ａを支持するものである。図１において、回路基板２の下面２ａには、トランジスタＴｒ１，Ｔｒ２が実装されているので、係止爪８ａ，８ｂのうち、底板部６から最も離間している係止爪８ｂが折り曲げられている。こうして、回路基板２の一方の面２ａ側の高さ寸法や点灯回路部品５と底板部６の底面６ａとの干渉や絶縁距離などに応じて、折り曲げられる係止爪８ａ，８ｂを選択することにより、ケース底板３に対する回路基板２の高さ調整を行うことができる。
【００３１】
係止孔９ａ，９ｂは、図２に示すように、係止爪８ａ，８ｂ毎に設けられており、係止爪８ａ，８ｂが挿入されて係止される小形の長方形状に打ち抜きにより形成されている。すなわち、係止爪８ａ，８ｂよりも底板部６から遠ざかっている位置(非底板部側の位置)であって、立上部７の長手方向と直交する方向の同一直線上に係止爪８ａ，８ｂの所定の間隔（例えば２〜５ｍｍ）と同一の間隔を有するように形成されている。係止爪８ａ（８ｂ）と係止孔９ａ（９ｂ）の前記長手方向と直交する方向の間隔は、例えば、係止孔９ａ（９ｂ）の下端縁が係止爪８ａ（８ｂ）の上縁よりも回路基板２の板厚（例えば２．０ｍｍ）分だけ非底板部側に離れた位置に設けられている。
【００３２】
係止孔９ａ，９ｂには、ケース蓋体４の後述する係止片１３，１４，１５が挿入されて引っ掛けられる。これにより、ケース底板３とケース蓋体４とが結合するとともに、その内部に回路基板２が収納されるものである。
【００３３】
また、底板部６には、図１（ｂ）に示すように、長手方向の両端部６ａ，６ｂにそれぞれ切り起し片１０，１０が設けられている。切り起し片１０，１０は、矩形状のケース底板３の内側に、それぞれ奥側の底面６ａから底板部６の一端側および他端側に向かって長方形状に切り起されている。そして、切り起し片１０，１０は、それぞれの先端部が底板部６から最も離間している係止孔９ｂよりも底板部６から離間するような大きさに形成されている。切り起し片１０，１０は、係止爪８ａ，８ｂに支持された回路基板２がその長手方向に移動するときに当接し、当該移動を規制するものである。
【００３４】
ケース蓋体４は、金属製例えばアルミニウム（Ａｌ）からなり、図１（ａ）に示すように、１枚の長方平板を折り曲げて、一対の側板部１１，１１およびこの側板部１１，１１に跨る天板部１２を有する長尺枠体に形成されている。そして、ケース蓋体４は、ケース底板３の一対の立上部７，７に被さるようにしてケース底板３に取り付けられている。そして、一対の側板部１１，１１には、図２に示すように、対をなす複数の係止片１３，１４，１５が設けられている。
【００３５】
係止片１３，１４，１５は、係止孔９ａ，９ｂに挿入可能な大きさで側板部１１の長手方向に沿うようにしてかつ係止孔９ａ，９ｂに対応する部位に形成されており、いずれの係止片１３，１４，１５も、どの係止孔９ａ，９ｂ側にも折り曲げられて係止孔９ａ，９ｂに係止される。すなわち、係止片１３，１４，１５は、ケース蓋体４をケース底板３の一対の立上部７，７に被せたときに、係止孔９ａ，９ｂに対向可能な位置である側板部１１の一端側および他端側に設けられ、かつ側板部１１の長手方向と直交する直線上に設けられている。そして、隣接する係止片１３，１４，１５のそれぞれの間隔は、係止孔９ａ，９ｂの間隔とは関係なく任意に設定され、係止片１３，１４の間隔は、例えば５ｍｍ、係止片１４，１５の間隔は、例えば３ｍｍとしている。
【００３６】
そして、係止片１３，１４，１５は、折り曲げられた係止爪８ａ，８ｂに対応する係止孔９ａ，９ｂ側に折り曲げられて、当該係止孔９ａ，９ｂに係止される。また、係止片１３，１４，１５は、いずれも係止孔９ａ，９ｂ側に折り曲げられて、当該係止孔９ａ，９ｂに係止させられる。このとき、折り曲げられた係止片１３，１４，１５は、係止爪８ａ，８ｂと係止孔９ａ，９ｂとの立上部７の長手方向と直交する方向の間隔設定により、回路基板２の他方の面(上面)２ｂに近接する。
【００３７】
係止片１３を係止孔９ａ，９ｂに係止させると、ケース蓋体４の天板部１２と回路基板２またはケース底板３の底板部６との距離が最も大きくなる。係止片１４を係止孔９ａ，９ｂに係止させると、天板部１２が回路基板２（底板部６）に近づき、係止片１５を係止孔９ａ，９ｂに係止させると、天板部１２と回路基板２（底板部６）との距離が最も小さくなる。こうして、係止孔９ａ，９ｂに係止する係止片１３，１４，１５を選択することにより、回路基板２またはケース底板３の底板部６に対するケース蓋体４の高さ調整が行える。
【００３８】
図１（ａ）において、ケース底板２の係止爪８ｂが折り曲げられているので、係止片１３，１４，１５は、係止爪８ｂに対応して設けられている係止孔９ｂ側に折り曲げられる。そして、ケース蓋体４の天板部１２とディスクリート部品のコンデンサＣ１が当接または近接しないように、係止片１３以外の例えば係止片１４が係止孔９ｂ側に折り曲げられている。
【００３９】
なお、ケース蓋体４の側板部１１，１１および天板部１２には、図示しない通気用のスリットが設けられている。また、ケース底板３の底板部６の両端側には、それぞれ図示しない入力用および出力用の端子台が設けられている。
【００４０】
次に、本発明の第１の実施形態の作用について説明する。
【００４１】
回路基板２は、下面２ａにトランジスタＴｒ１，Ｔｒ２のチップ部品が実装されているので、係止爪８ａ，８ｂのうち、底板部６の底面６ａから同一距離の各係止爪８ｂを一対の立上部7，７の内側に折り曲げ、折り曲げた各係止爪８ｂに回路基板２の下面２ａを載置する。これにより、チップ部品とケース底板３の底板部６との絶縁距離や干渉などが防止される。
【００４２】
そして、回路基板２は、上面２ｂにコンデンサＣ１などのディスクリート部品が実装されているので、ケース蓋体４を一対の立上部7，７に被せた後、各係止爪８ｂに対応して設けられた各係止孔９ｂ側に、各係止片１４（または係止片１５）を折り曲げる。これにより、ディスクリート部品とケース蓋体４の天板部１２との干渉が防止された状態で、回路基板２および点灯回路部品５は、ケース底板３およびケース蓋体４の内部に収納される。そして、係止孔９ｂに係止片１４が係止されるので、ケース底板３およびケース蓋体４が結合する。
【００４３】
また、係止爪８ｂが回路基板２の下面２ａを支持し、係止片１４が回路基板２の上面２ｂに近接するので、回路基板２の長手方向と直交する方向(上下方向)の移動が規制される。そして、ケース底板３の底板部６に設けられた一対の切り起し片１０，１０が回路基板２の長手方向の移動を規制するので、回路基板２は、ケース底板３およびケース蓋体４の内部に保持されるようになる。このように、回路基板２は、係止爪８ａ，８ｂ、係止片１３，１４，１５および一対の切り起し片１０，１０の簡素な構成で保持することができる。
【００４４】
上述したように、折り曲げる係止爪８ａ，８ｂの選択によりケース底板３の底板部６に対する回路基板２の高さ調整が行え、かつ折り曲げる係止片１３，１４，１５の選択により回路基板２に対するケース蓋体４の高さ調整が行えるので、回路基板２の下面２ａに実装するチップ部品の選定などや上面２ｂに実装するディスクリート部品の選定や配置などの設計自由度が向上するようになる。したがって、放電ランプ用点灯回路の設計を容易に行うことができるとともに、設計変更時などで新たなケース底板３およびケース蓋体４を都度用意する必要がなく、放電ランプ用点灯装置１のコスト低減を図ることができる。
【００４５】
なお、放電ランプ用点灯装置１において、係止爪８ａ，８ｂおよび係止孔９ａ，９ｂは、それぞれ２個設けているが、３個以上設けられていてもよい。この場合、隣接する係止爪および係止孔のそれぞれの間隔は、一定の間隔であってもよく、互いに異なる間隔であってもよい。また、ケース蓋体４の天板部１２は、平面状に形成されているが、山形や円弧状などに形成してもよい。
【００４６】
次に、本発明の第２の実施形態について説明する。
【００４７】
図３は、本発明の第２の実施形態を示す照明器具であり、（ａ）は概略上面図、（ｂ）は概略正面図、（ｃ）は一部切り欠き概略側面図である。なお、図１と同一部分には、同一符号を付して説明は省略する。
【００４８】
図３に示す照明器具１６は、天井等などの造営物に設置される直付け照明器具である。照明器具１６は、逆富士形に形成された器具本体１７の内部に図１に示す放電ランプ用点灯装置１を配設している。また、器具本体１７の長手方向の両端側には、それぞれ対を成すランプソケット取付金具１８，１８がねじ１９により固定されている。このランプソケット取付金具１８，１８にランプソケット２０，２０が取り付けられている。そして、ランプソケット２０，２０に放電ランプとしての直管形の蛍光ランプ２１が装着されている。
【００４９】
蛍光ランプ２１は、放電ランプ用点灯装置１の動作により点灯する。蛍光ランプ２１が点灯すると、蛍光ランプ２１からの放射光が直接光および器具本体１７の反射面で反射された反射光となって照射面側に照射される。
【００５０】
照明器具１６は、新たなケース底板３やケース蓋体４を必要とすることなく、回路基板２での設計自由度が向上された放電ランプ用点灯装置１を具備しているので、安価に設計、製造することができる。
【図面の簡単な説明】
【００５１】
【図１】本発明の第１の実施形態の放電ランプ用点灯装置を示し、（ａ）は概略縦断面図、（ｂ）は（ａ）のＡ−Ａ方向の概略断面図。
【図２】同じく、放電ランプ用点灯装置の分解概略側面図。
【図３】本発明の第２の実施形態を示す照明器具であり、（ａ）は概略上面図、（ｂ）は概略正面図、（ｃ）は一部切り欠き概略側面図。
【符号の説明】
【００５２】
１…放電ランプ用点灯装置
２…回路基板
３…ケース底板
４…ケース蓋体
８ａ，８ｂ…係止爪
９ａ，９ｂ…係止孔
１０…切り起し片
１３，１４，１５…係止片
１６…照明器具
１７…器具本体
２１…放電ランプとしての蛍光ランプ
【図１】
2008300042.tif 000003
【図２】
2008300042.tif 000004
【図３】
2008300042.tif 000005